(57)【要約】【課題】  ＥＳＬを極力低減できる積層コンデンサを提供する。【解決手段】  直方体形状の積層チップ１０１の幅方向の両端部それぞれに設けられた異極性の外部電極１０２，１０３と、積層チップ１０１の長さ方向の両端面それぞれに設けられた異極性の連結電極１０４とを備え、積層チップ１０１は、誘電体層１０５と、一方極性の外部電極１０２に接続された引出し部１０６ａと一方極性の連結電極１０４に接続された引出し部１０６ｂを有する内部電極層１０６と、一方極性の連結電極１０４に接続された引出し部１０８ａを有する内部電極層１０８と、他方極性の外部電極１０３に接続された引出し部１０７ａと他方極性の連結電極１０４に接続された引出し部１０７ｂを有する内部電極層１０７と、他方極性の連結電極１０４に接続された引出し部１０９ａを有する内部電極層１０９とを幅方向に積層して一体化した構成を有する。【選択図】  図８
2007043093.tif 000002
【特許請求の範囲】
【請求項１】
所定の長さ，幅及び高さを有し誘電体層と異極性の内部導体層とを所定の順序で幅方向に積層して一体化した構成を有する直方体形状の積層チップと、積層チップの少なくとも下面に設けられた異極性の外部電極と、積層チップの長さ方向の両端面それぞれに設けられた異極性の連結電極とを備え、
一方の極性の内部電極層は、一方の極性の外部電極に接続された外部電極用引出し部を少なくとも高さ方向の下端縁に有し且つ一方の極性の連結電極に接続された連結電極用引出し部を長さ方向の一端縁に有する第１の内部電極層と、一方の極性の連結電極に接続された連結電極用引出し部を長さ方向の一端縁に有する第２の内部電極層とを含み、
他方の極性の内部電極層は、他方の極性の外部電極に接続された外部電極用引出し部を少なくとも高さ方向の下端縁に有し且つ他方の極性の連結電極に接続された連結電極用引出し部を長さ方向の他端縁に有する第３の内部電極層と、他方の極性の連結電極に接続された連結電極用引出し部を長さ方向の他端縁に有する第４の内部電極層とを含む、
ことを特徴とする積層コンデンサ。
【請求項２】
第１の内部電極層と第２の内部電極層と第３の内部電極層と第４の内部電極層はそれぞれ１種類の内部導体層から成る、
ことを特徴とする請求項１に記載の積層コンデンサ。
【請求項３】
第１の内部電極層は外部電極用引出し部の位置が異なる２種類の内部電極層から成り、第３の内部電極層は外部電極用引出し部の位置が異なる２種類の内部電極層から成り、第２の内部電極層と第４の内部電極層はそれぞれ１種類の内部電極層から成る、
ことを特徴とする請求項１に記載の積層コンデンサ。
【請求項４】
第１の内部電極層の連結電極用引出し部の位置と第２の内部電極層の連結電極用引出し部の位置は高さ方向で一致しており、第３の内部電極層の連結電極用引出し部の位置と第４の内部電極層の連結電極用引出し部の位置は高さ方向で一致している、
ことを特徴とする請求項１〜３の何れか１項に記載の積層コンデンサ。
【請求項５】
第１の内部電極層の連結電極用引出し部の位置と第２の内部電極層の連結電極用引出し部の位置は高さ方向でずれており、第３の内部電極層の連結電極用引出し部の位置と第４の内部電極層の連結電極用引出し部の位置は高さ方向でずれている、
ことを特徴とする請求項１〜３の何れか１項に記載の積層コンデンサ。
【請求項６】
第１の内部電極層と第３の内部電極層は積層チップの幅方向の両側に配置され、その内側に第２の内部電極層と第４の内部電極層が配置されている、
ことを特徴とする請求項１〜４の何れか１項に記載の積層コンデンサ。
【請求項７】
第１の内部電極層と第３の内部電極層は積層チップの幅方向の中央に配置され、その両側に第２の内部電極層と第４の内部電極層が配置されている、
ことを特徴とする請求項１〜４の何れか１項に記載の積層コンデンサ。
【請求項８】
第１，第３の内部電極層と第２，第４の内部電極層は積層チップの幅方向で交互に配置されている、
ことを特徴とする請求項１〜５の何れか１項に記載の積層コンデンサ。
【請求項９】
外部電極用引出し部及び連結電極用引出し部は外側から内側に向かって徐々に幅が大きくなる形状を有する、
ことを特徴とする請求項１〜８の何れか１項に記載の積層コンデンサ。
【請求項１０】
第１，第３の内部電極層は連結電極用引出し部が設けられていない長さ方向の端縁から内側に延びた切欠きを有する、
ことを特徴とする請求項１〜９の何れか１項に記載の積層コンデンサ。
【発明の詳細な説明】
【技術分野】
【０００１】
本発明は、デカップリングの用途に適した積層コンデンサに関する。
【背景技術】
【０００２】
ＣＰＵ等のＬＳＩの周囲には、電源ラインや他のデバイス等からＬＳＩにノイズが入り込むことを防止し、且つ、ＬＳＩの誤動作を防止するためにデカップリングコンデンサと称される積層コンデンサが配されている。
【０００３】
図１はデカップリング用積層コンデンサの従来例を示す。この積層コンデンサ１０は、所定の長さＬ，幅Ｗ及び高さＨを有する直方体形状の積層チップ１１と、積層チップ１１の長さ方向の両端部それぞれに設けられた異極性の外部電極１２と、幅方向の両端部それぞれに設けられた異極性の連結電極１３とを備える。
【０００４】
図２は前記積層チップ１１の内部構成の一例を示すもので、本例では、誘電体層１４と４種類の内部電極層１５〜１８を図に示す順序で高さ方向に積層して一体化した構成を有する。
【０００５】
内部電極層１５は矩形状を成し、長さ方向の一端縁に１個の外部電極用引出し部１５ａを有し、幅方向の一端縁中央に１個の連結電極用引出し部１５ｂを有する。内部電極層１６は矩形状を成し、幅方向の他端縁中央（引出し部１５ｂとは反対側の端縁中央）に１個の連結電極用引出し部１６ａを有する。内部電極層１７は矩形状を成し、幅方向の一端縁中央（引出し部１５ｂと同じ側の端縁中央）に１個の連結電極用引出し部１７ａを有する。内部電極層１８は矩形状を成し、長さ方向の他端縁（引出し部１５ａとは反対側の端縁）に１個の外部電極用引出し部１８ａを有し、幅方向の他端縁中央（引出し部１５ｂとは反対側の端縁中央）に１個の連結電極用引出し部１８ｂを有する。
【０００６】
内部電極層１５の引出し部１５ａは一方（図１の手前側）の外部電極１２に接続され、内部電極層１８の引出し部１８ａは他方（図１の奥側）の外部電極１２に接続されている。また、内部電極層１５の引出し部１５ｂと内部電極層１７の引出し部１７ａは一方（図１の奥側）の連結電極１３に接続され、内部電極層１６の引出し部１６ａと内部電極層１８の引出し部１８ｂは他方（図１の手前側）の連結電極１３に接続されている。
【０００７】
即ち、一方（図１の奥側）の連結電極１３を介して接続された内部電極層１５と内部電極層１７の極性は同じであり、他方（図１の手前側）の連結電極１３を介して接続された内部電極層１８と内部電極層１６の極性は同じである。
【０００８】
図３は前記積層チップ１１の内部構成の他の例を示すもので、本例では、誘電体層１４と４種類の内部電極層１９〜２２を図に示す順序で高さ方向に積層して一体化した構成を有する。
【０００９】
内部電極層１９は蛇行形状を成し、長さ方向の一端縁に１個の外部電極用引出し部１９ａを有し、幅方向の一端縁中央に１個の連結電極用引出し部１９ｂを有する。内部電極層２０は矩形状を成し、幅方向の一端縁中央（引出し部１９ｂと同じ側の端縁中央）に１個の連結電極用引出し部２０ａを有する。内部電極層２１は矩形状を成し、幅方向の他端縁中央（引出し部１９ｂとは反対側の端縁中央）に１個の連結電極用引出し部２１ａを有する。内部電極層２２は蛇行形状を成し、長さ方向の他端縁（引出し部１９ａとは反対側の端縁）に１個の外部電極用引出し部２２ａを有し、幅方向の他端縁中央（引出し部１９ｂとは反対側の端縁中央）に１個の連結電極用引出し部２２ｂを有する。
【００１０】
内部電極層１９の引出し部１９ａは一方（図１の手前側）の外部電極１２に接続され、内部電極層２２の引出し部２２ａは他方（図１の奥側）の外部電極１２に接続されている。また、内部電極層１９の引出し部１９ｂと内部電極層２０の引出し部２０ａは一方（図１の手前側）の連結電極１３に接続され、内部電極層２１の引出し部２１ａと内部電極層２２の引出し部２２ｂは他方（図１の奥側）の連結電極１３に接続されている。
【００１１】
即ち、一方（図１の手前側）の連結電極１３を介して接続された内部電極層１９と内部電極層２０の極性は同じであり、他方（図１の奥側）の連結電極１３を介して接続された内部電極層２２と内部電極層２１の極性は同じである。
【特許文献１】特開２００３−１６８６２１号公報
【特許文献２】特開２００４−２７３７０１号公報
【発明の開示】
【発明が解決しようとする課題】
【００１２】
デカップリング用の積層コンデンサにはその役割からして、
・必要な電荷をＬＳＩに供給するのに十分な静電容量を有すること
・電圧変動の原因となるＥＳＬ（等価直列インダクタンス）が十分に小さいこと
が求められている。
【００１３】
図２の内部構成を採用した積層コンデンサ１０にあっては、４種類の内部電極層１５〜１８の層数選定によって所定の静電容量を得ることができ、また、外部電極用引出し部１５ａ，１８ａを有する内部電極層１５，１８と電流の流れる向きが逆向きとなる箇所を内部電極層１６，１７に確保することによって磁界相殺作用に基づくＥＳＬ低下を図ることができる。一方、図３の内部構成を採用した積層コンデンサ１０にあっては、４種類の内部電極層１９〜２２の層数選定によって所定の静電容量を得ることができ、また、外部電極用引出し部１９ａ，２２ａを有する内部電極層１９，２２と電流の流れる向きが逆向きとなる箇所を内部電極層２０，２１に確保することによって磁界相殺作用に基づくＥＳＬ低下を図ることができる。
【００１４】
しかし、図２の内部構成を採用した積層コンデンサ１０及び図３の内部構成を採用した積層コンデンサ１０は、何れも、積層チップ１１を構成する誘電体層１４と４種類の内部電極層（１５〜１８，１９〜２２）とが高さ方向に積層されている。
【００１５】
そのため、各外部電極１２を基板ＳＵのランドＲＡに接続して図１の手前側の外部電極１２をグランド側とし図１の奥側の外部電極１２を信号入力側とした状態では、図４に示すように、外部電極用引出し部１５ａ（１９ａ）を有する内部電極層１５（１９）とランドＲＡとの間の電流経路（太線矢印参照）の長さが内部電極層１５（１９）とランドＲＡとの高さ間隔に準じたものとなり、該電流経路の長さに依存したインダクタンス成分が発生してしまう。また、外部電極用引出し部１８ａ（２２ａ）を有する内部電極層１８（２２）とランドＲＡとの間の電流経路の長さも内部電極層１８（２２）とランドＲＡとの高さ間隔に準じたものとなり、該電流経路の長さに依存したインダクタンス成分が発生してしまう。
【００１６】
前記の電流経路の長さに依存したインダクタンス成分は積層コンデンサ１０の構造それ自体を原因とするものであるため、積層コンデンサ１０の高さを変更する等しても該インダクタンス成分を無くすこと、即ち、該インダクタンス成分に依るＥＳＬ増分を無くすことは難しい。
【００１７】
本発明は前記事情に鑑みて創作されたもので、その目的とするところは、ＥＳＬを極力低減できる積層コンデンサを提供することにある。
【課題を解決するための手段】
【００１８】
前記目的を達成するため、本発明の積層コンデンサは、所定の長さ，幅及び高さを有し誘電体層と異極性の内部導体層とを所定の順序で幅方向に積層して一体化した構成を有する直方体形状の積層チップと、積層チップの少なくとも下面に設けられた異極性の外部電極と、積層チップの長さ方向の両端面それぞれに設けられた異極性の連結電極とを備え、一方の極性の内部電極層は、一方の極性の外部電極に接続された外部電極用引出し部を少なくとも高さ方向の下端縁に有し且つ一方の極性の連結電極に接続された連結電極用引出し部を長さ方向の一端縁に有する第１の内部電極層と、一方の極性の連結電極に接続された連結電極用引出し部を長さ方向の一端縁に有する第２の内部電極層とを含み、他方の極性の内部電極層は、他方の極性の外部電極に接続された外部電極用引出し部を少なくとも高さ方向の下端縁に有し且つ他方の極性の連結電極に接続された連結電極用引出し部を長さ方向の他端縁に有する第３の内部電極層と、他方の極性の連結電極に接続された連結電極用引出し部を長さ方向の他端縁に有する第４の内部電極層とを含む、ことをその特徴とする。
【００１９】
この積層コンデンサによれば、誘電体層を介して隣り合う第１の内部電極層の外部電極用引出し部と第３の内部電極層の外部電極層用引出し部に逆方向に電流が流れ、この電流の流れによって第１，第３の内部電極層にも逆方向に電流が流れるようにすることにより、磁界相殺作用に基づくＥＳＬ低下を図ることができる。
【００２０】
しかも、積層チップを構成する誘電体層と第１〜第４の内部電極層とが幅方向に積層されているため、各外部電極を基板のランドに接続して一方の極性の外部電極を信号入力側とし他方の極性の外部電極をグランド側とした状態では、外部電極用引出し部を有する第１，第３の内部電極層とランドとの間の電流経路の長さは外部電極の厚さにほぼ一致したものとなり、ここでの電流経路の長さは従前の長さよりも格段短くなる。要するに、前記積層コンデンサでは前記電流経路の長さに依存して発生するインダクタンス成分を極力低減して、該インダクタンス成分に依るＥＳＬ増分を極力無くすことができる。
【００２１】
つまり、前記積層コンデンサでは前記のＥＳＬ低減作用によってそのＥＳＬを極力低減することができる。
【発明の効果】
【００２２】
本発明によれば、ＥＳＬを極力低減できる積層コンデンサを提供することができる。
【００２３】
本発明の前記目的とそれ以外の目的と、構成特徴と、作用効果は、以下の説明と添付図面によって明らかとなる。
【発明を実施するための最良の形態】
【００２４】
［第１実施形態］
図５〜図１３は本発明の第１実施形態を示す。図５は積層コンデンサを上面側から見た斜視図、図６は積層コンデンサを下面側から見た斜視図、図７は積層チップの内部構成を示す図、図８は積層コンデンサの上面図、図９は図８のａ１−ａ１線断面図、図１０は図８のａ２−ａ２線断面図、図１１は図８のａ３−ａ３線断面図、図１２及び図１３は積層コンデンサを基板に実装した状態を示す図である。
【００２５】
まず、図５〜図１１を参照して、積層コンデンサ１００の構造について説明する。
【００２６】
この積層コンデンサ１００は、図５及び図６に示すように、所定の長さＬ，幅Ｗ及び高さＨを有する直方体形状の積層チップ１０１と、積層チップ１０１の幅方向の両端部それぞれに設けられた異極性の外部電極１０２，１０３と、積層チップ１０１の長さ方向の両端面それぞれに設けられた異極性の連結電極１０４とを備える。
【００２７】
積層チップ１０１の幅方向の両端部にはそれぞれ４個の外部電極１０２，１０３が間隔をおいて長さ方向に交互に並ぶように配されている。各外部電極１０２，１０３は積層チップ１０１の上面及び下面に設けられた電極部１０２ａ，１０３ａと上下の電極部１０２ａ，１０３ａをそれぞれ接続する導通部１０２ｂ，１０３ｂとを有するコ字形状を成しており、一端部側の４個の外部電極１０２，１０３，１０２，１０３と他端部側の４個の外部電極１０２，１０３，１０２，１０３は幅方向で同じ極性の外部電極が向き合う位置関係となっている。また、各連結電極１０４は積層チップ１０１の長さ方向の端面全体を覆うように設けられており、各連結電極１０４は積層チップ１０１の上面及び下面に回り込む部分を有していない。因みに、外部電極１０２，１０３と連結電極１０４はＮｉ等の卑金属から成る。
【００２８】
積層チップ１０１は、図７に示すように、誘電体層１０５と４種類の内部電極層１０６〜１０９とを図に示す順序で幅方向に積層して一体化した構成を有している。図示を省略してあるが、積層チップ１０１の幅方向両側にはマージンを確保するため内部電極層を有しない誘電体層１０５が配されている。図８からも分かるように、積層チップ１０１の幅方向の両側には所定層数（図中は各２層）の内部電極層１０６と内部電極層１０７がそれぞれ配置され、その内側（積層チップ１０１の幅方向の中央）に所定層数（図中は各６層）の内部電極層１０８と内部電極層１０９が配置されている。因みに、誘電体層１０５はＢａＴｉＯ3 等の誘電体から成り、内部電極層１０６〜１０９はＮｉ等の卑金属から成る。
【００２９】
内部電極層１０６は矩形状を成し、高さ方向の上端縁と下端縁のそれぞれに長さ方向に間隔を有する２個の外部電極用引出し部１０６ａを上下対称に有し、長さ方向の一端縁中央に１個の連結電極用引出し部１０６ｂを有する。この内部電極層１０６は請求範囲で言うところの「第１の内部電極層」に相当する。
【００３０】
内部電極層１０７は矩形状を成し、高さ方向の上端縁と下端縁のそれぞれに長さ方向に間隔を有する２個の外部電極用引出し部１０７ａを上下対称に有し、長さ方向の他端縁中央（引出し部１０６ｂとは反対側の端縁中央）に１個の連結電極用引出し部１０７ｂを有する。外部電極用引出し部１０７ａの位置は内部電極層１０６の外部電極用引出し部１０６ａと積層チップ１０１の長さ方向でずれており幅方向で交錯していない。この内部電極層１０７は請求範囲で言うところの「第３の内部電極層」に相当する。
【００３１】
内部電極層１０８は矩形状を成し、長さ方向の一端縁中央（引出し部１０６ｂと同じ側の端縁中央）に１個の連結電極用引出し部１０８ａを有する。連結電極用引出し部１０８ａの位置は内部電極層１０６の連結電極用引出し部１０６ｂの位置と高さ方向で一致している。この内部電極層１０８は請求範囲で言うところの「第２の内部電極層」に相当する。
【００３２】
内部電極層１０９は矩形状を成し、長さ方向の他端縁中央（引出し部１０６ｂとは反対側の端縁中央）に１個の連結電極用引出し部１０９ａを有する。連結電極用引出し部１０９ａの位置は内部電極層１０７の連結電極用引出し部１０７ｂの位置と高さ方向で一致している。この内部電極層１０９は請求範囲で言うところの「第４の内部電極層」に相当する。
【００３３】
図９〜図１１からも分かるように、幅方向の一側に位置する２層の内部電極層１０６の上縁側の２個の外部電極用引出し部１０６ａは幅方向の一端部側の２個の外部電極１０２の上側電極部１０２ａにそれぞれ接続され、下縁側の２個の外部電極用引出し部１０６ａは同じ外部電極１０２の下側電極部１０２ａにそれぞれ接続され、連結電極用引出し部１０６ｂは一方（図５の手前側）の連結電極１０４に接続されている。
【００３４】
幅方向の一側に位置する２層の内部電極層１０７の上縁側の２個の外部電極用引出し部１０７ａは幅方向の一端部側の２個の外部電極１０３の上側電極部１０３ａにそれぞれ接続され、下縁側の２個の外部電極用引出し部１０７ａは同じ外部電極１０３の下側電極部１０３ａにそれぞれ接続され、連結電極用引出し部１０７ｂは他方（図５の奥側）の連結電極１０４に接続されている。
【００３５】
幅方向の中央に位置する６層の内部電極層１０８の連結電極用引出し部１０８ａは一方（図５の手前側）の連結電極１０４にそれぞれ接続されている。
【００３６】
幅方向の中央に位置する６層の内部電極層１０９の連結電極用引出し部１０９ａは他方（図５の奥側）の連結電極１０４にそれぞれ接続されている。
【００３７】
幅方向の他側に位置する２層の内部電極層１０６の上縁側の２個の外部電極用引出し部１０６ａは幅方向の他端部側の２個の外部電極１０２の上側電極部１０２ａにそれぞれ接続され、下縁側の２個の外部電極用引出し部１０６ａは同じ外部電極１０２の下側電極部１０２ａにそれぞれ接続され、連結電極用引出し部１０６ｂは一方（図５の手前側）の連結電極１０４に接続されている。
【００３８】
幅方向の他側に位置する２層の内部電極層１０７の上縁側の２個の外部電極用引出し部１０７ａは幅方向の他端部側の２個の外部電極１０３の上側電極部１０３ａにそれぞれ接続され、下縁側の２個の外部電極用引出し部１０７ａは同じ外部電極１０３の下側電極部１０３ａにそれぞれ接続され、連結電極用引出し部１０７ｂは他方（図５の奥側）の連結電極１０４に接続されている。
【００３９】
即ち、一方（図５の手前側）の連結電極１０４を介して接続された４層の内部電極層１０６と６層の内部電極層１０８の極性は同じであり、他方（図５の奥側）の連結電極１０４を介して接続された４層の内部電極層１０７と６層の内部電極層１０９の極性は同じである。
【００４０】
前記積層コンデンサ１００にあっては、４種類の内部電極層１０６〜１０９のうち主に外部電極用引出し部を有しない内部電極層１０８，１０９の層数選定によって所定の静電容量を得ることができる。
【００４１】
また、前記積層コンデンサ１００にあっては、誘電体層１０５を介して隣り合う内部電極層１０６の外部電極用引出し部１０６ａと内部電極層１０７の外部電極層用引出し部１０７ａに逆方向に電流が流れ、この電流の流れによって内部電極層１０６，１０７にも逆方向に電流が流れるようにすることにより、磁界相殺作用に基づくＥＳＬ低下を図ることができる。
【００４２】
しかも、積層チップ１０１を構成する誘電体層１０５と４種類の内部電極層１０６〜１０９とが幅方向に積層されているため、図１２，図１３に示すように、各外部電極１０２，１０３を基板ＳＵのランドＲＡに接続して各外部電極１０２を信号入力側とし各外部電極１０３をグランド側とした状態では、外部電極用引出し部１０６ａ，１０７ａを有する内部電極層１０６，１０７とランドＲＡとの間の電流経路（太線矢印参照）の長さは外部電極１０２，１０３の厚さにほぼ一致したものとなり、ここでの電流経路の長さは図４を引用して説明した従前の長さよりも格段短くなる。要するに、前記積層コンデンサ１００では前記電流経路の長さに依存して発生するインダクタンス成分を極力低減して、該インダクタンス成分に依るＥＳＬ増分を極力無くすことができると共に、外部電極１０２，１０３と導通する基板ＳＵのトレースとの間に形成される電流ループで発生するインダクタンス成分をも低減することがでいる。
【００４３】
つまり、前記積層コンデンサ１００では前記のＥＳＬ低減作用によってそのＥＳＬを極力低減することができる。
【００４４】
さらに、前記積層コンデンサ１００にあっては、内部電極層１０６，１０７の高さ方向の上端縁と下端縁のそれぞれに２個の外部電極用引出し部１０６ａ，１０７ａを設けた構成にあるため、外部電極用引出し部１０６ａ，１０７ａのサイズ変更等によって電流の流れ易さをアレンジして前記積層コンデンサ１００のＥＳＲを簡単に調整することができる。
【００４５】
しかも、内部電極層１０６の連結電極用引出し部１０６ｂと内部電極層１０８の連結電極用引出し部１０８ａとを積層チップ１０１の長さ方向一端面に設けた連結電極１０４で接続し、且つ、内部電極層１０７の連結電極用引出し部１０７ｂと内部電極層１０９の連結電極用引出し部１０９ａとを積層チップ１０１の長さ方向他端面に設けた連結電極１０４で接続した構成を採用しているので、換言すれば、同一極性の内部電極層１０６，１０８の連結電極用引出し部１０６ｂ，１０８ａを内部電極層１０６の外部電極用引出し部１０６ａからなるべく離れた位置に配し、且つ、同一極性の内部電極層１０７，１０９の連結電極用引出し部１０６ｂ，１０８ａを内部電極層１０７の外部電極用引出し部１０７ａからなるべく離れた位置に配しているので、内部電極層１０６の外部電極用引出し部１０６ａから該内部電極層１０６と連結電極用引出し部１０６ｂと連結電極１０４と連結電極用引出し部１０８ａを通じて内部電極層１０８に至る電流経路、並びに、内部電極層１０７の外部電極用引出し部１０７ａから該内部電極層１０７と連結電極用引出し部１０７ｂと連結電極１０４と連結電極用引出し部１０９ａを通じて内部電極層１０９に至る電流経路を長くして、該電流経路の長さに依存する抵抗成分に基づいて前記積層コンデンサ１００のＥＳＲを高値に調整することができる。
【００４６】
つまり、前記積層コンデンサ１００では前記のＥＳＲ調整作用によってそのＥＳＲをより広い数値範囲で調整することができる。
【００４７】
ここで、デカップリング用の積層コンデンサで前記のＥＳＲ調整が何故に必要であるかについて説明する。デカップリングに関して言えば積層コンデンサ１００のＥＳＲは低い方が好ましいが、実用上ではＥＳＲが低すぎると積層コンデンサの実装位置や周囲環境等に依って不要な共振、例えば電源電圧のリップル発生及びリップルに基づくノイズ発生や電磁障害（ＥＭＩ）に依るノイズ発生を引き起こしてしまう。依って、このようなノイズ発生を未然に防止するには実装位置や周囲環境等に応じて積層コンデンサのＥＳＲを予め調整しておくべきであり、そのためにはＥＳＲ調整を比較的広い数値範囲で容易に行える構成であるほうが実用上望ましいと言える。
【００４８】
さらにまた、前記積層コンデンサ１００にあっては、外部電極用引出し部１０６ａ，１０７ａを有する内部電極層１０６，１０７を積層チップ１０１の幅方向の両側に配置し、その内側に連結電極用引出し部１０８ａ，１０９ａのみを有する内部電極層１０８，１０９を配置した構成を採用することにより、積層チップ１０１の幅方向の両端部それぞれにコ字形状を成す異極性の外部電極１０２，１０３を設けることができるので、積層チップ１０１の長さ方向の両端面それぞれに異極性の連結電極１０４を設けたことも相俟って、基板等への実装時には前記積層コンデンサ１００の下面と上面の何れか一方を実装面として用いることができる。つまり、前記積層コンデンサ１００を基板等に実装するときにはその下面と上面を実装面として選択的に用いることができるので、実装面が１つしかないものに比べて実装性を向上することができる。
【００４９】
さらにまた、積層チップ１０１の幅方向の両端部それぞれにコ字形状を成す異極性の外部電極１０２，１０３を設け、積層チップ１０１の長さ方向の両端面それぞれに異極性の連結電極１０４を設けているので、積層チップ１０１に外部電極１０２，１０３及び連結電極１０４を形成する際における電極ペーストの塗布作業をローラ塗布法やディップ法等の既知の方法を用いて行うことができ、これにより積層コンデンサ１００の製造コストの低減を図ることができる。
【００５０】
以下に、図１４〜図２２を参照して、前記第１実施形態（積層コンデンサ１００）の変形例について説明する。
【００５１】
図１４は外部電極の形状の変形例を示す。図１４に示す外部電極１１２，１１３（１１３は図示省略）は、前記実施形態における外部電極１０２，１０３から導通部１０２ｂ，１０３ｂを除外したような形状を備え、積層チップ１０１の上下面にそれぞれ設けられている。
【００５２】
図１５は外部電極の形状の他の変形例を示す。図１５に示す外部電極１２２，１２３（１２３は図示省略）は、前記実施形態における外部電極１０２，１０３から上側電極部１０２ａ，１０３ａと導通部１０２ｂ，１０３ｂを除外したような形状を備え、積層チップ１０１の下面のみに設けられている。この場合には、図１６に示すように、高さ方向の下端縁のみに２個の外部電極用引出し部１１６ａを有する内部電極層１１６を前記実施形態における内部電極層１０６の代わりに用い、高さ方向の下端縁のみに２個の外部電極用引出し部１１７ａを有する内部電極層１１７を前記実施形態における内部電極層１０７の代わりに用いるとよい。
【００５３】
図１７は連結電極の形状の変形例を示す。図１７に示す連結電極１１４は所期の連結が達成できる程度の大きさで積層チップ１０１の長さ方向の端面に局部的に設けられている。
【００５４】
図１８は連結電極用引出し部の形成位置の変形例を示す。図１８に示す内部電極層１０８はその長さ方向の一端縁下側に連結電極用引出し部１０８ａを有し、該連結電極用引出し部１０８ａの位置は内部電極層１０６（図示省略）の連結電極用引出し部１０６ｂの位置と高さ方向でずれていて互いが幅方向で重ならないようになっている。また、内部電極層１０９（図示省略）もその長さ方向の他端縁下側に連結電極用引出し部１０９ａを有し、該連結電極用引出し部１０９ａの位置は内部電極層１０７（図示省略）の連結電極用引出し部１０７ｂの位置と高さ方向でずれていて互いが幅方向で重ならないようになっている。
【００５５】
このような構成を採用すれば、連結電極用引出し部１０８ａ，１０９ａと連結電極用引出し部１０６ｂ，１０７ｂの高さ方向のずれ量を利用して、内部電極層１０６の外部電極用引出し部１０６ａから該内部電極層１０６と連結電極用引出し部１０６ｂと連結電極１０４と連結電極用引出し部１０８ａを通じて内部電極層１０８に至る電流経路、並びに、内部電極層１０７の外部電極用引出し部１０７ａから該内部電極層１０７と連結電極用引出し部１０７ｂと連結電極１０４と連結電極用引出し部１０９ａを通じて内部電極層１０９に至る電流経路をより長くして、該電流経路の長さに依存する抵抗成分に基づいて前記積層コンデンサ１００のＥＳＲをより高値に調整することができる。つまり、前記積層コンデンサ１００のＥＳＲをより一層広い数値範囲で調整することが可能となる。
【００５６】
勿論、各内部電極層１０８，１０９の連結電極用引出し部１０８ａ，１０９ａの高さ方向位置を変えずに各内部電極層１０６，１０７の連結電極用引出し部１０６ｂ，１０７ｂの高さ方向位置を変えて前記同様の高さ方向ずれを確保しても、また、各内部電極層１０８，１０９の連結電極用引出し部１０８ａ，１０９ａの高さ方向位置と各内部電極層１０６，１０７の連結電極用引出し部１０６ｂ，１０７ｂの高さ方向位置の両方を変えて前記同様の高さ方向ずれを確保しても同様の作用効果が得られる。
【００５７】
図１９（Ａ）及び図１９（Ｂ）は外部電極用引出し部と連結電極用引出し部の形状の変形例を示す。図１９（Ａ）及び図１９（Ｂ）に示す外部電極用引出し部１０６ａ’，１０７ａ’は外側から内側に向かって徐々に幅が大きくなる形状（図中は台形状）を有し、連結電極用引出し部１０６ｂ’，１０７ｂ’，１０８ａ’，１０９ａ’は外側から内側に向かって徐々に幅が大きくなる形状（図中は台形状）を有する。
【００５８】
このような形状を採用すれば、各引出し部１０６ａ’，１０６ｂ’，１０７ａ’，１０７ｂ’，１０８ａ’，１０９ａ’に電流が流れるときの経路の長さ、例えば隣接する引出し部１０６ａ’，１０７ａ’に電流が流れるときの経路の長さ（図１９（Ａ）の太線矢印参照）を矩形状の場合に比べて短くして、該電流経路の長さに依存して発生するインダクタンス成分を低減して低ＥＳＬ化に貢献することができる。
【００５９】
図２０（Ａ）及び図２０（Ｂ）は外部電極用引出し部を有する内部電極層の形状の変形例を示す。図２０（Ａ）に示す内部電極層１２６は前記実施形態における内部電極層１０６に対応し、図２０（Ｂ）に示す内部電極層１２７は前記実施形態における内部電極層１０７に対応する。
【００６０】
内部電極層１２６は２個の外部電極用引出し部１２６ａを上下対称に有し、長さ方向の一端縁中央に１個の連結電極用引出し部１２６ｂを有し、連結電極用引出し部１２６ｂが設けられていない長さ方向の他端縁中央から内側に延びる矩形状の切欠き１２６ｃを有していて、全体がコ字形状を成している。内部電極層１２７は２個の外部電極用引出し部１２７ａを上下対称に有し、長さ方向の他端縁中央に１個の連結電極用引出し部１２７ｂを有し、連結電極用引出し部１２７ｂが設けられていない長さ方向の一端縁中央から内側に延びる矩形状の切欠き１２６ｃを有していて、全体がコ字形状を成している。
【００６１】
このような形状を採用すれば、内部電極層１２６，１２７の形状によって該内部電極層１２６，１２７に電流が流れるときの抵抗成分を制御して、積層コンデンサのＥＳＲを調整することができる。コ字形状の内部電極層１２６，１２７を使用した場合には各々の切欠き１２６ｃ，１２７ｃの存在によって積層チップ１０１の表面に凹みが生じる恐れがあるので、該恐れを防止するために各切欠き１２６ｃ，１２７ｃの内側に矩形状のダミー電極層１２６ｄ，１２７ｄ（図中２点鎖線参照）を内部電極層１２６，１２７と非接触で設けるようにするとよい。
【００６２】
図２１は積層チップを構成する内部電極層の並び順の変形例を示す。図２１は積層コンデンサを下面から見た図であり、外部電極用引出し部１１６ａ，１１７ａ及び連結電極用引出し部１１６ｂ，１１７ｂを有する内部電極層１１６，１１７（図１６参照）が積層チップ１０１の幅方向の中央に配置され、その両側に連結電極用引出し部１０８ａ，１０９ａのみを有する内部電極層１０８，１０９（図１６参照）が配置されている。外部電極１３２，１３３は積層チップ１０１の下面に計４個設けられ、４個のうち２個の外部電極１３２は内部電極層１１６の外部電極用引出し部１１６ａと接続し、残り２個の外部電極１３３は内部電極層１１７の外部電極用引出し部１１７ａと接続している。
【００６３】
図２２は積層チップを構成する内部電極層の並び順の他の変形例を示す。図２２は積層コンデンサを下面から見た図であり、外部電極用引出し部１１６ａ，１１７ａ及び連結電極用引出し部１１６ｂ，１１７ｂを有する内部電極層１１６，１１７（図１６参照）と連結電極用引出し部１０８ａ，１０９ａのみを有する内部電極層１０８，１０９（図１６参照）が積層チップ１０１の幅方向で交互に配置されている。外部電極１４２，１４３は積層チップ１０１の下面に計８個（４×２の行列）設けられ、８個のうち４個の外部電極１４２は内部電極層１１６の外部電極用引出し部１１６ａと接続し、残り４個の外部電極１４３は内部電極層１１７の外部電極用引出し部１１７ａと接続している。
【００６４】
図２３は積層チップを構成する内部電極層の並び順さらに他の変形例を示す。図２３は積層コンデンサを下面から見た図であり、外部電極用引出し部１１６ａ，１１７ａ及び連結電極用引出し部１１６ｂ，１１７ｂを有する内部電極層１１６，１１７（図１６参照）と連結電極用引出し部１０８ａ，１０９ａのみを有する内部電極層１０８，１０９（図１６参照）が積層チップ１０１の幅方向で交互に配置されている。外部電極１５２，１５３は積層チップ１０１の下面に計１６個（４×４の行列）設けられ、１６個のうち８個の外部電極１５２は内部電極層１１６の外部電極用引出し部１１６ａと接続し、８個の外部電極１５３は内部電極層１１７の外部電極用引出し部１１７ａと接続している。
【００６５】
［第２実施形態］
図２４〜図３２は本発明の第２実施形態を示す。図２４は積層コンデンサを上面側から見た斜視図、図２５は積層コンデンサを下面側から見た斜視図、図２６は積層チップの内部構成を示す図、図２７は積層コンデンサの上面図、図２８は図２７のｂ１−ｂ１線断面図、図２９は図２７のｂ２−ｂ２線断面図、図３０は図２７のｂ３−ｂ３線断面図、図３１及び図３２は積層コンデンサを基板に実装した状態を示す図である。
【００６６】
まず、図２４〜図３０を参照して、積層コンデンサ２００の構造について説明する。
【００６７】
この積層コンデンサ２００は、図２４及び図２５に示すように、所定の長さＬ，幅Ｗ及び高さＨを有する直方体形状の積層チップ２０１と、積層チップ２０１の幅方向の両端部それぞれに設けられた異極性の外部電極２０２，２０３と、積層チップ２０１の長さ方向の両端面それぞれに設けられた異極性の連結電極２０４とを備える。
【００６８】
積層チップ２０１の幅方向の両端部にはそれぞれ４個の外部電極２０２，２０３が間隔をおいて長さ方向に交互に並ぶように配されている。各外部電極２０２，２０３は積層チップ２０１の上面及び下面に設けられた電極部２０２ａ，２０３ａと上下の電極部２０２ａ，２０３ａをそれぞれ接続する導通部２０２ｂ，２０３ｂとを有するコ字形状を成しており、一端部側の４個の外部電極２０２，２０３，２０２，２０３と他端部側の４個の外部電極２０３，２０２，２０３，２０２は幅方向で異なる極性の外部電極が向き合う位置関係となっている。また、各連結電極２０４は積層チップ２０１の長さ方向の端面全体を覆うように設けられており、各連結電極２０４は積層チップ２０１の上面及び下面に回り込む部分を有していない。因みに、外部電極２０２，２０３と連結電極２０４はＮｉ等の卑金属から成る。
【００６９】
積層チップ２０１は、図２６に示すように、誘電体層２０５と６種類の内部電極層２０６〜２１１とを図に示す順序で幅方向に積層して一体化した構成を有している。図示を省略してあるが、積層チップ２０１の幅方向両側にはマージンを確保するため内部電極層を有しない誘電体層２０５が配されている。図２７からも分かるように、積層チップ２０１の幅方向の一側には所定層数（図中は各２層）の内部電極層２０６と内部電極層２０７が配置され、幅方向の他側には所定層数（図中は各２層）の内部電極層２１０と内部電極層２１１が配置され、これらの内側に所定層数（図中は各６層）の内部電極層２０８と内部電極層２０９が配置されている。因みに、誘電体層２０５はＢａＴｉＯ3 等の誘電体から成り、内部電極層２０６〜２１１はＮｉ等の卑金属から成る。
【００７０】
内部電極層２０６は矩形状を成し、高さ方向の上端縁と下端縁のそれぞれに長さ方向に間隔を有する２個の外部電極用引出し部２０６ａを上下対称に有し、長さ方向の一端縁中央に１個の連結電極用引出し部２０６ｂを有する。この内部電極層２０６は請求範囲で言うところの「第１の内部電極層」に相当する。
【００７１】
内部電極層２０７は矩形状を成し、高さ方向の上端縁と下端縁のそれぞれに長さ方向に間隔を有する２個の外部電極用引出し部２０７ａを上下対称に有し、長さ方向の他端縁中央（引出し部２０６ｂとは反対側の端縁中央）に１個の連結電極用引出し部２０７ｂを有する。外部電極用引出し部２０７ａの位置は内部電極層２０６の外部電極用引出し部２０６ａと積層チップ２０１の長さ方向でずれており幅方向で交錯していない。この内部電極層１０７は請求範囲で言うところの「第３の内部電極層」に相当する。
【００７２】
内部電極層２０８は矩形状を成し、長さ方向の一端縁中央（引出し部２０６ｂと同じ側の端縁中央）に１個の連結電極用引出し部２０８ａを有する。連結電極用引出し部２０８ａの位置は内部電極層２０６の連結電極用引出し部２０６ｂの位置と高さ方向で一致している。この内部電極層２０８は請求範囲で言うところの「第２の内部電極層」に相当する。
【００７３】
内部電極層２０９は矩形状を成し、長さ方向の他端縁中央（引出し部２０６ｂとは反対側の端縁中央）に１個の連結電極用引出し部２０９ａを有する。連結電極用引出し部２０９ａの位置は内部電極層２０７の連結電極用引出し部２０７ｂの位置と高さ方向で一致している。この内部電極層２０９は請求範囲で言うところの「第４の内部電極層」に相当する。
【００７４】
内部電極層２１０は矩形状を成し、高さ方向の上端縁と下端縁のそれぞれに長さ方向に間隔を有する２個の外部電極用引出し部２１０ａを上下対称に有し、長さ方向の一端縁中央（引出し部２０６ｂと同じ側の端縁中央）に１個の連結電極用引出し部２１０ｂを有する。外部電極用引出し部２１０ａの位置は内部電極層２０７の外部電極用引出し部２０７ａの位置と長さ方向で一致している。この内部電極層２１０は請求範囲で言うところの「第１の内部電極層」に相当する。
【００７５】
内部電極層２１１は矩形状を成し、高さ方向の上端縁と下端縁のそれぞれに長さ方向に間隔を有する２個の外部電極用引出し部２１１ａを上下対称に有し、長さ方向の他端縁中央（引出し部２０７ｂと同じ側の端縁中央）に１個の連結電極用引出し部２１１ｂを有する。外部電極用引出し部２１１ａの位置は内部電極層２０６の外部電極用引出し部２０６ａの位置と長さ方向で一致している。この内部電極層２１１は請求範囲で言うところの「第３の内部電極層」に相当する。
【００７６】
図２８〜図３０からも分かるように、幅方向の一側に位置する２層の内部電極層２０６の上縁側の２個の外部電極用引出し部２０６ａは幅方向の一端部側の２個の外部電極２０２の上側電極部２０２ａにそれぞれ接続され、下縁側の２個の外部電極用引出し部２０６ａは同じ外部電極２０２の下側電極部２０２ａにそれぞれ接続され、連結電極用引出し部２０６ｂは一方（図２４の手前側）の連結電極２０４に接続されている。
【００７７】
幅方向の一側に位置する２層の内部電極層２０７の上縁側の２個の外部電極用引出し部２０７ａは幅方向の一端部側の２個の外部電極２０３の上側電極部２０３ａにそれぞれ接続され、下縁側の２個の外部電極用引出し部２０７ａは同じ外部電極２０３の下側電極部２０３ａにそれぞれ接続され、連結電極用引出し部２０７ｂは他方（図２４の奥側）の連結電極２０４に接続されている。
【００７８】
幅方向の中央に位置する６層の内部電極層２０８の連結電極用引出し部２０８ａは一方（図２４の手前側）の連結電極２０４に接続されている。
【００７９】
幅方向の中央に位置する６層の内部電極層２０９の連結電極用引出し部２０９ａは他方（図２４の奥側）の連結電極２０４に接続されている。
【００８０】
幅方向の他側に位置する２層の内部電極層２１０の上縁側の２個の外部電極用引出し部２１０ａは幅方向の他端部側の２個の外部電極２０２の上側電極部２０２ａにそれぞれ接続され、下縁側の２個の外部電極用引出し部２１０ａは同じ外部電極２０２の下側電極部２０２ａにそれぞれ接続され、連結電極用引出し部２０６ｂは一方（図２４の手前側）の連結電極２０４に接続されている。
【００８１】
幅方向の他側に位置する２層の内部電極層２１１の上縁側の２個の外部電極用引出し部２１１ａは幅方向の他端部側の２個の外部電極２０３の上側電極部２０３ａにそれぞれ接続され、下縁側の２個の外部電極用引出し部２１１ａは同じ外部電極２０３の下側電極部２０３ａにそれぞれ接続され、連結電極用引出し部２１１ｂは他方（図２４の奥側）の連結電極２０４に接続されている。
【００８２】
即ち、一方（図２４の手前側）の連結電極２０４を介して接続された２層の内部電極層２０６と６層の内部電極層２０８と２層の内部電極層２１０の極性は同じであり、他方（図２４の奥側）の連結電極２０４を介して接続された２層の内部電極層２０７と６層の内部電極層２０９と２層の内部電極層２１１の極性は同じである。
【００８３】
前記積層コンデンサ２００にあっては、６種類の内部電極層２０６〜２１１のうち主に外部電極用引出し部を有しない内部電極層１０８，１０９の層数選定によって所定の静電容量を得ることができる。
【００８４】
また、前記積層コンデンサ２００にあっては、誘電体層２０５を介して隣り合う内部電極層２０６の外部電極用引出し部２０６ａと内部電極層２０７の外部電極層用引出し部２０７ａに逆方向に電流が流れ、この電流の流れによって内部電極２０６，２０７にも逆方法に電流が流れるようにすることにより、且つ、誘電体層２０５を介して隣り合う内部電極層２１０の外部電極用引出し部２１０ａと内部電極層２１１の外部電極層用引出し部２１１ａに逆方向に電流が流れ、この電流の流れによって内部電極２１０，２１１にも逆方法に電流が流れるようにすることにより、磁界相殺作用に基づくＥＳＬ低下を図ることができる。
【００８５】
しかも、積層チップ２０１を構成する誘電体層２０５と６種類の内部電極層２０６〜２１１とが幅方向に積層されているため、図３１，図３２に示すように、各外部電極２０２，２０３を基板ＳＵのランドＲＡに接続して各外部電極２０２を信号入力側とし各外部電極２０３をグランド側とした状態では、外部電極用引出し部２０６ａ，２０７ａ，２１０ａ，２１１ａを有する内部電極層２０６，２０７，２１０，２１１とランドＲＡとの間の電流経路（太線矢印参照）の長さは外部電極２０２，２０３の厚さにほぼ一致したものとなり、ここでの電流経路の長さは図４を引用して説明した従前の長さよりも格段短くなる。つまり、前記積層コンデンサ２００では前記電流経路の長さに依存して発生するインダクタンス成分を極力低減して、該インダクタンス成分に依るＥＳＬ増分を極力無くすことができると共に、外部電極２０２，２０３と導通する基板ＳＵのトレースとの間に形成される電流ループで発生するインダクタンス成分をも低減することができる。
【００８６】
つまり、前記積層コンデンサ２００では前記のＥＳＬ低減作用によってそのＥＳＬを極力低減することができる。
【００８７】
さらに、前記積層コンデンサ２００にあっては、内部電極層２０６，２０７，２１０，２１１の高さ方向の上端縁と下端縁のそれぞれに２個の外部電極用引出し部２０６ａ，２０７ａ，２１０ａ，２１１ａを設けた構成にあるため、外部電極用引出し部２０６ａ，２０７ａ，２１０ａ，２１１ａのサイズ変更等によって電流の流れ易さをアレンジして前記積層コンデンサ１００のＥＳＲを簡単に調整することができる。
【００８８】
しかも、内部電極層２０６の連結電極用引出し部２０６ｂと内部電極層２０８の連結電極用引出し部２０８ａと内部電極層２１０の連結電極用引出し部２１０ｂとを積層チップ２０１の長さ方向一端面に設けた連結電極２０４で接続し、且つ、内部電極層２０７の連結電極用引出し部２０７ｂと内部電極層２０９の連結電極用引出し部２０９ａと内部電極層２１１の連結電極用引出し部２１１ｂとを積層チップ１０１の長さ方向他端面に設けた連結電極１０４で接続した構成を採用しているので、換言すれば、同一極性の内部電極層２０６，２０８，２１０の連結電極用引出し部２０６ｂ，２０８ａ，２１０ｂを内部電極層２０６，２１０の外部電極用引出し部２０６ａ，２１０ａからなるべく離れた位置に配し、且つ、同一極性の内部電極層２０７，２０９，２１１の連結電極用引出し部２０６ｂ，２０８ａ，２１１ｂを内部電極層２０７，２１１の外部電極用引出し部２０７ａ，２１１ａからなるべく離れた位置に配しているので、
内部電極層２０６，２１０の外部電極用引出し部２０６ａ，２１０ａから該内部電極層２０６，２１０と連結電極用引出し部２０６ｂ，２１０ｂと連結電極２０４と連結電極用引出し部２０８ａを通じて内部電極層２０８に至る電流経路、並びに、内部電極層２０７，２１１の外部電極用引出し部２０７ａ，２１１ａから該内部電極層２０７，２１１と連結電極用引出し部２０７ｂ，２１１ｂと連結電極２０４と連結電極用引出し部２０９ａを通じて内部電極層２０９に至る電流経路を長くして、該電流経路の長さに依存する抵抗成分に基づいて前記積層コンデンサ１００のＥＳＲを高値に調整することができる。
【００８９】
つまり、前記積層コンデンサ１００では前記のＥＳＲ調整作用によってそのＥＳＲをより広い数値範囲で調整することができる。
【００９０】
ここで、デカップリング用の積層コンデンサで前記のＥＳＲ調整が何故に必要であるかについて説明する。デカップリングに関して言えば積層コンデンサ２００のＥＳＲは低い方が好ましいが、実用上ではＥＳＲが低すぎると積層コンデンサの実装位置や周囲環境等に依って不要な共振、例えば電源電圧のリップル発生及びリップルに基づくノイズ発生や電磁障害（ＥＭＩ）に依るノイズ発生を引き起こしてしまう。依って、このようなノイズ発生を未然に防止するには実装位置や周囲環境等に応じて積層コンデンサのＥＳＲを予め調整しておくべきであり、そのためにはＥＳＲ調整を比較的広い数値範囲で容易に行える構成であるほうが実用上望ましいと言える。
【００９１】
さらにまた、前記積層コンデンサ２００にあっては、外部電極用引出し部２０６ａ，２０７ａ，２１０ａ，２１１ａを有する内部電極層２０６，２０７，２１０，２１１を積層チップ２０１の幅方向の両側に配置し、その内側に連結電極用引出し部２０８ａ，２０９ａのみを有する内部電極層２０８，２０９を配置した構成を採用することにより、積層チップ２０１の幅方向の両端部それぞれにコ字形状を成す異極性の外部電極２０２，２０３を設けることができるので、積層チップ２０１の長さ方向の両端面それぞれに異極性の連結電極２０４を設けたことも相俟って、基板等への実装時には前記積層コンデンサ２００の下面と上面の何れか一方を実装面として用いることができる。つまり、前記積層コンデンサ２００を基板等に実装するときにはその下面と上面を実装面として選択的に用いることができるので、実装面が１つしかないものに比べて実装性を向上することができる。
【００９２】
さらにまた、積層チップ２０１の幅方向の両端部それぞれにコ字形状を成す異極性の外部電極２０２，２０３を設け、積層チップ２０１の長さ方向の両端面それぞれに異極性の連結電極２０４を設けているので、積層チップ２０１に外部電極２０２，２０３及び連結電極２０４を形成する際における電極ペーストの塗布作業をローラ塗布法やディップ法等の既知の方法を用いて簡単に行うことができ、これにより積層コンデンサ２００の製造コストの低減を図ることができる。
【００９３】
以下に、図３３〜図４３を参照して、前記第２実施形態（積層コンデンサ２００）の変形例について説明する。
【００９４】
図３３は外部電極の形状の変形例を示す。図３３に示す外部電極２１２，２１３は、前記実施形態における外部電極２０２，２０３から導通部２０２ｂ，２０３ｂを除外したような形状を備え、積層チップ２０１の上下面にそれぞれ設けられている。
【００９５】
図３４は外部電極の形状の他の変形例を示す。図３３に示す外部電極２２２，２２３は、前記実施形態における外部電極２０２，２０３から上側電極部２０２ａ，２０３ａと導通部２０２ｂ，２０３ｂを除外したような形状を備え、積層チップ２０１の下面のみに設けられている。この場合には、図３５に示すように、高さ方向の下端縁のみに２個の外部電極用引出し部２１６ａを有する内部電極層２１６を前記実施形態における内部電極層２０６の代わりに用い、高さ方向の下端縁のみに２個の外部電極用引出し部２１７ａを有する内部電極層２１７を前記実施形態における内部電極層２０７の代わりに用い、高さ方向の下端縁のみに２個の外部電極用引出し部２２０ａを有する内部電極層２２０を前記実施形態における内部電極層２１０の代わりに用い、高さ方向の下端縁のみに２個の外部電極用引出し部２２１ａを有する内部電極層２２１を前記実施形態における内部電極層２１１の代わりに用いるとよい。
【００９６】
図３６は連結電極の形状の変形例を示す。図３６に示す連結電極２１４は所期の連結が達成できる程度の大きさで積層チップ２０１の長さ方向の端面に局部的に設けられている。
【００９７】
図３７は連結電極用引出し部の形成位置の変形例を示す。図３７に示す内部電極層２０８はその長さ方向の一端縁下側に連結電極用引出し部２０８ａを有し、該連結電極用引出し部２０８ａの位置は内部電極層２０６，２１０（図示省略）の連結電極用引出し部２０６ｂ，２１０ｂ（２１０ｂは図示省略）の位置と高さ方向でずれていて互いが幅方向で重ならないようになっている。また、内部電極層２０９（図示省略）もその長さ方向の他端縁下側に連結電極用引出し部２０９ａを有し、該連結電極用引出し部２０９ａの位置は内部電極層２０７，２１１（図示省略）の連結電極用引出し部２０７ｂ，２１１ｂ（２１１ｂは図示省略）の位置と高さ方向でずれていて互いが幅方向で重ならないようになっている。
【００９８】
このような構成を採用すれば、連結電極用引出し部２０８ａ，２０９ａと連結電極用引出し部２０６ｂ，２０７ｂ，２１０ｂ，２１１ｂの高さ方向のずれ量を利用して、内部電極層２０６，２１０の外部電極用引出し部２０６ａ，２１０ａから該内部電極層２０６，２１０と連結電極用引出し部２０６ｂ，２１０ｂと連結電極２０４と連結電極用引出し部２０８ａを通じて内部電極層２０８に至る電流経路、並びに、内部電極層２０７，２１１の外部電極用引出し部２０７ａ，２１１ａから該内部電極層２０７，２１１と連結電極用引出し部２０７ｂ，２１１ｂと連結電極２０４と連結電極用引出し部２０９ａを通じて内部電極層２０９に至る電流経路をより長くして、該電流経路の長さに依存する抵抗成分に基づいて前記積層コンデンサ２００のＥＳＲをより高値に調整することができる。つまり、前記積層コンデンサ２００のＥＳＲをより一層広い数値範囲で調整することが可能となる。
【００９９】
勿論、各内部電極層２０８，２０９の連結電極用引出し部２０８ａ，２０９ａの高さ方向位置を変えずに各内部電極層２０６，２０７，２１０，２１１の連結電極用引出し部２０６ｂ，２０７ｂ，２１０ｂ，２１１ｂの高さ方向位置を変えて前記同様の高さ方向ずれを確保しても、また、各内部電極層２０８，２０９の連結電極用引出し部２０８ａ，２０９ａの高さ方向位置と各内部電極層２０６，２０７，２１０，２１１の連結電極用引出し部２０６ｂ，２０７ｂ，２１０ｂ，２１１ｂの高さ方向位置の両方を変えて前記同様の高さ方向ずれを確保しても同様の作用効果が得られる。
【０１００】
図３８（Ａ）及び図３８（Ｂ）は外部電極用引出し部と連結電極用引出し部の形状の変形例を示す。図３８（Ａ）及び図３８（Ｂ）に示す外部電極用引出し部２０６ａ’，２０７ａ’，２１０ａ’，２１１ａ’（２１０ａ’，２１１ａ’は図示省略）は外側から内側に向かって徐々に幅が大きくなる形状（図中は台形状）を有し、連結電極用引出し部２０６ｂ’，２０７ｂ’，２０８ａ’，２０９ａ’，２１０ｂ’，２１１ｂ’（２１０ｂ’，２１１ｂ’は図示省略）は外側から内側に向かって徐々に幅が大きくなる形状（図中は台形状）を有する。
【０１０１】
このような形状を採用すれば、各引出し部２０６ａ’，２０６ｂ’，２０７ａ’，２０７ｂ’，２０８ａ’，２０９ａ’，２１０ａ’，２１０ｂ’，２１１ａ’，２１１ｂ’に電流が流れるときの経路の長さ、例えば隣接する引出し部２０６ａ’，２０７ａ’に電流が流れるときの経路の長さ（図３８（Ａ）の太線矢印参照）を矩形状の場合に比べて短くして、該電流経路の長さに依存して発生するインダクタンス成分を低減して低ＥＳＬ化に貢献することができる。
【０１０２】
図３９（Ａ）及び図３９（Ｂ）と図４０（Ａ）及び図４０（Ｂ）は外部電極用引出し部を有する内部電極層の形状の変形例を示す。図３９（Ａ）に示す内部電極層２２６は前記実施形態における内部電極層２０６に対応し、図３９（Ｂ）に示す内部電極層２２７は前記実施形態における内部電極層２０７に対応し、図４０（Ａ）に示す内部電極層２３０は前記実施形態における内部電極２１０に対応し、図４０（Ｂ）に示す内部電極層２３１は前記実施形態における内部電極２１１に対応する。
【０１０３】
内部電極層２２６は２個の外部電極用引出し部２２６ａを上下対称に有し、長さ方向の一端縁中央に１個の連結電極用引出し部２２６ｂを有し、連結電極用引出し部２２６ｂが設けられていない長さ方向の他端縁中央から内側に延びる矩形状の切欠き２２６ｃを有していて、全体がコ字形状を成している。内部電極層２２７は２個の外部電極用引出し部２２７ａを上下対称に有し、長さ方向の他端縁中央に１個の連結電極用引出し部２２７ｂを有し、連結電極用引出し部２２７ｂが設けられていない長さ方向の一端縁中央から内側に延びる矩形状の切欠き２２７ｃを有していて、全体がコ字形状を成している。内部電極層２３０は２個の外部電極用引出し部２３０ａを上下対称に有し、長さ方向の一端縁中央に１個の連結電極用引出し部２３０ｂを有し、連結電極用引出し部２３０ｂが設けられていない長さ方向の他端縁中央から内側に延びる矩形状の切欠き２３０ｃを有していて、全体がコ字形状を成している。内部電極層２３１は２個の外部電極用引出し部２３１ａを上下対称に有し、長さ方向の他端縁中央に１個の連結電極用引出し部２３１ｂを有し、連結電極用引出し部２３１ｂが設けられていない長さ方向の一端縁中央から内側に延びる矩形状の切欠き２３１ｃを有していて、全体がコ字形状を成している。
【０１０４】
このような形状を採用すれば、内部電極層２２６，２２７，２３０，２３１の形状によって該内部電極層２２６，２２７，２３０，２３１に電流が流れるときの抵抗成分を制御して、積層コンデンサのＥＳＲを調整することができる。コ字形状の内部電極層２２６，２２７，２３０，２３１を使用した場合には各々の切欠き２２６ｃ，２２７ｃ，２３０ｃ，２３１ｃの存在によって積層チップ２０１の表面に凹みが生じる恐れがあるので、該恐れを防止するために各切欠き２２６ｃ，２２７ｃ，２３０ｃ，２３１ｃの内側に矩形状のダミー電極層２２６ｄ，２２７ｄ，２３０ｄ，２３１ｄ（図中２点鎖線参照）を内部電極層２２６，２２７，２３０，２３１と非接触で設けるようにするとよい。
【０１０５】
図４１は積層チップを構成する内部電極層の並び順の変形例を示す。図４１は積層コンデンサを下面から見た図であり、外部電極用引出し部２１６ａ，２１７ａ及び連結電極用引出し部２１６ｂ，２１７ｂを有する内部電極層２１６，２１７（図３５参照）が積層チップ１０１の幅方向の中央に配置され、その両側に連結電極用引出し部２０８ａ，２０９ａのみを有する内部電極層２０８，２０９（図３５参照）が配置されている。外部電極２３２，２３３は積層チップ２０１の下面に計４個設けられ、４個のうち２個の外部電極２３２は内部電極層２１６の外部電極用引出し部２１６ａと接続し、残り２個の外部電極２３３は内部電極層２１７の外部電極用引出し部２１７ａと接続している。図４１には外部電極用引出し部を有する内部電極層として内部電極層２１６，２１７を用いているが、これらの代わりに内部電極層２２０，２２１（図３５参照）を用いてもよい。
【０１０６】
図４２は積層チップを構成する内部電極層の並び順の他の変形例を示す。図４２は積層コンデンサを下面から見た図であり、外部電極用引出し部２１６ａ，２１７ａ，２２０ａ，２２１ａ及び連結電極用引出し部２１６ｂ，２１７ｂ，２２０ｂ，２２１ｂを有する内部電極層２１６，２１７，２２０，２２１（図３５参照）と連結電極用引出し部２０８ａ，２０９ａのみを有する内部電極層２０８，２０９（図３５参照）が積層チップ２０１の幅方向で交互に配置されている。外部電極２４２，２４３は積層チップ２０１の下面に計８個（４×２の行列）設けられ、８個のうち２個の外部電極２４２は内部電極層２１６の外部電極用引出し部２１６ａと接続し、２個の外部電極２４２は内部電極層２２０の外部電極用引出し部２２０ａと接続し、２個の外部電極２４３は内部電極層２１７の外部電極用引出し部２１７ａと接続し、２個の外部電極２４３は内部電極層２２１の外部電極用引出し部２２１ａと接続している。
【０１０７】
図４１は積層チップを構成する内部電極層の並び順のさらに他の変形例を示す。図４１は積層コンデンサを下面から見た図であり、外部電極用引出し部２１６ａ，２１７ａ，２２０ａ，２２１ａ及び連結電極用引出し部２１６ｂ，２１７ｂ，２２０ｂ，２２１ｂを有する内部電極層２１６，２１７，２２０，２２１（図３５参照）と連結電極用引出し部２０８ａ，２０９ａのみを有する内部電極層２０８，２０９（図３５参照）が積層チップ２０１の幅方向で交互に配置されている。外部電極２５２，２５３は積層チップ２０１の下面に計１６個（４×４の行列）設けられ、１６個のうち４個の外部電極２５２は内部電極層２１６の外部電極用引出し部２１６ａと接続し、４個の外部電極２５２は内部電極層２２０の外部電極用引出し部２２０ａと接続し、４個の外部電極２５３は内部電極層２１７の外部電極用引出し部２１７ａと接続し、４個の外部電極２５３は内部電極層２２１の外部電極用引出し部２２１ａと接続している。
【図面の簡単な説明】
【０１０８】
【図１】デカップリング用積層コンデンサの従来例を示す図である。
【図２】図１に示した積層チップの内部構成の一例を示す図である。
【図３】図１に示した積層チップの内部構成の他の例を示す図である。
【図４】図１に示した積層コンデンサの不具合点の説明図である。
【図５】本発明の第１実施形態を示す積層コンデンサを上面側から見た斜視図である。
【図６】図５の積層コンデンサを下面側から見た斜視図である。
【図７】図５に示した積層チップの内部構成を示す図である。
【図８】図５の積層コンデンサの上面図である。
【図９】図８のａ１−ａ１線断面図である。
【図１０】図８のａ２−ａ２線断面図である。
【図１１】図８のａ３−ａ３線断面図である。
【図１２】図５の積層コンデンサを基板に実装した状態を示す図である。
【図１３】図５の積層コンデンサを基板に実装した状態を示す図である。
【図１４】外部電極の形状の変形例を示す図である。
【図１５】外部電極の形状の他の変形例を示す図である。
【図１６】図１５に示した積層チップの内部構成を示す図である。
【図１７】連結電極の形状の変形例を示す図である。
【図１８】連結電極用引出し部の形成位置の変形例を示す図である。
【図１９】外部電極用引出し部と連結電極用引出し部の形状の変形例を示す図である。
【図２０】外部電極用引出し部を有する内部電極層の形状の変形例を示す図である。
【図２１】積層チップを構成する内部電極層の並び順の変形例を示す図である。
【図２２】積層チップを構成する内部電極層の並び順の他の変形例を示す図である。
【図２３】積層チップを構成する内部電極層の並び順のさらに他の変形例を示す図である。
【図２４】本発明の第２実施形態を示す積層コンデンサを上面側から見た斜視図である。
【図２５】図２４の積層コンデンサを下面側から見た斜視図である。
【図２６】図２４に示した積層チップの内部構成を示す図である。
【図２７】図２５の積層コンデンサの上面図である。
【図２８】図２７のｂ１−ｂ１線断面図である。
【図２９】図２７のｂ２−ｂ２線断面図である。
【図３０】図２７のｂ３−ｂ３線断面図である。
【図３１】図２４の積層コンデンサを基板に実装した状態を示す図である。
【図３２】図２４の積層コンデンサを基板に実装した状態を示す図である。
【図３３】外部電極の形状の変形例を示す図である。
【図３４】外部電極の形状の他の変形例を示す図である。
【図３５】図３４に示したの積層チップの内部構成を示す図である。
【図３６】連結電極の形状の変形例を示す図である。
【図３７】連結電極用引出し部の形成位置の変形例を示す図である。
【図３８】外部電極用引出し部と連結電極用引出し部の形状の変形例を示す図である。
【図３９】外部電極用引出し部を有する内部電極層の形状の変形例を示す図である。
【図４０】外部電極用引出し部を有する内部電極層の形状の変形例を示す図である。
【図４１】積層チップを構成する内部電極層の並び順の変形例を示す図である。
【図４２】積層チップを構成する内部電極層の並び順の他の変形例を示す図である。
【図４３】積層チップを構成する内部電極層の並び順のさらに他の変形例を示す図である。
【符号の説明】
【０１０９】
１００…積層コンデンサ、１０１…積層チップ、１０２，１０３，１１２，１２２，１３２，１３３，１４２，１４３，１５２，１５３…外部電極、１０４，１１４…連結電極、１０５…誘電体層、１０６，１０７，１０８，１０９，１１６，１１７，１２６，１２７…内部電極層、１０６ａ，１０７ａ，１０６ａ’，１０７ａ’，１１６ａ，１１７ａ，１２６ａ，１２７ａ…外部電極用引出し部、１０６ｂ，１０７ｂ，１０６ｂ’，１０７ｂ’，１０８ａ，１０９ａ，１０８ａ’，１０９ａ’，１１６ｂ，１１７ｂ，１２６ｂ，１２７ｂ…連結電極用引出し部、１２６ｃ，１２７ｃ…切欠き、２００…積層コンデンサ、２０１…積層チップ、２０２，２０３，２１２，２２２，２３２，２３３，２４２，２４３，２５２，２５３…外部電極、２０４，２１４…連結電極、２０５…誘電体層、２０６，２０７，２０８，２０９，２１０，２１１，２１６，２１７，２２０，２２１，２２６，２２７，２３０，２３１…内部電極層、２０６ａ，２０７ａ，２０６ａ’，２０７ａ’，２１０ａ，２１１ａ，２１０ａ’，２１１ａ’，２１６ａ，２１７ａ，２２０ａ，２２１ａ，２２６ａ，２２７ａ，２３０ａ，２３１ａ…外部電極用引出し部、２０６ｂ，２０７ｂ，２０６ｂ’，２０７ｂ’，２０８ａ，２０９ａ，２０８ａ’，２０９ａ’，２１０ｂ，２１１ｂ，２１０ｂ’，２１１ｂ’，２１６ｂ，２１７ｂ，２２０ｂ，２２１ｂ，２２６ｂ，２２７ｂ，２３０ｂ，２３１ｂ…連結電極用引出し部、２２６ｃ，２２７ｃ，２３０ｃ，２３１ｃ…切欠き。
【図１】
2007043093.tif 000003
【図２】
2007043093.tif 000004
【図３】
2007043093.tif 000005
【図４】
2007043093.tif 000006
【図５】
2007043093.tif 000007
【図６】
2007043093.tif 000008
【図７】
2007043093.tif 000009
【図８】
2007043093.tif 000010
【図９】
2007043093.tif 000011
【図１０】
2007043093.tif 000012
【図１１】
2007043093.tif 000013
【図１２】
2007043093.tif 000014
【図１３】
2007043093.tif 000015
【図１４】
2007043093.tif 000016
【図１５】
2007043093.tif 000017
【図１６】
2007043093.tif 000018
【図１７】
2007043093.tif 000019
【図１８】
2007043093.tif 000020
【図１９】
2007043093.tif 000021
【図２０】
2007043093.tif 000022
【図２１】
2007043093.tif 000023
【図２２】
2007043093.tif 000024
【図２３】
2007043093.tif 000025
【図２４】
2007043093.tif 000026
【図２５】
2007043093.tif 000027
【図２６】
2007043093.tif 000028
【図２７】
2007043093.tif 000029
【図２８】
2007043093.tif 000030
【図２９】
2007043093.tif 000031
【図３０】
2007043093.tif 000032
【図３１】
2007043093.tif 000033
【図３２】
2007043093.tif 000034
【図３３】
2007043093.tif 000035
【図３４】
2007043093.tif 000036
【図３５】
2007043093.tif 000037
【図３６】
2007043093.tif 000038
【図３７】
2007043093.tif 000039
【図３８】
2007043093.tif 000040
【図３９】
2007043093.tif 000041
【図４０】
2007043093.tif 000042
【図４１】
2007043093.tif 000043
【図４２】
2007043093.tif 000044
【図４３】
2007043093.tif 000045